(57)【要約】【解決する課題】車椅子の搭乗者の体の状態、疾患の状態、体型、あるいは車椅子の長さや幅に合わせて座部や背もたれの角度や長さを簡単に調節することが出来る座部及び背もたれ部張設部材を提供する。【課題を解決する手段】長手方向の両端部に面ファスナー１２、１３が貼着された少なくとも１本の張りベルト部材１１と、一方端にバックル１６が着設され他方端がフレームに固定する固定部１５を有する少なくとも１本の補助張りベルト部材１４よりなり、前記張りベルト部材１１は一方端にフレームに固定する固定部１７と、他方端に前記補助張りベルト部材１４のバックル１６に挿通する自由端部１８よりなり、前記張りベルト部材１１にセンターパッド１９が挿通されていることを特徴とする座部及び背もたれ部張設部材とした。【選択図】図１
2005013331.tif 000002
【特許請求の範囲】
【請求項１】
椅子に着設する座部及び背もたれ部を固定するための座部及び背もたれ部張設部材であって、該張設部材は長手方向の両端部に面ファスナーが貼着された少なくとも１本の張りベルト部材と、一方端にバックルが着設され他方端がフレームに固定する固定部を有する少なくとも１本の補助張りベルト部材よりなり、前記張りベルト部材は一方端にフレームに固定する固定部と、他方端に前記補助張りベルト部材のバックルに挿通する自由端部よりなり、前記張りベルト部材にセンターパッドが挿通されていることを特徴とする座部及び背もたれ部張設部材。
【請求項２】
椅子に着設する座部及び背もたれ部を固定するための張設部材であって、該張設部材は長手方向の両端部に面ファスナーが貼着された２本又は３本の張りベルト部材と、一方端にバックルが着設された２本又は３本の補助張りベルト部材よりなり、前記２本又は３本の張りベルト部材は長手方向の一方端が連結テープ部材で連結されたフレームに固定する固定部と、他方端が前記補助張りベルト部材のバックルに挿通する自由端部よりなり、前記一方端にバックルが着設された２本又は３本の補助張りベルト部材の他方端が連結部材で連結されたフレームに固定する固定部よりなりなることを特徴とする座部及び背もたれ部張設部材。
【請求項３】
２本又は３本の張りベルト部材にセンターパッドが挿通されていることを特徴とする請求項２に記載の座部及び背もたれ部張設部材。
【発明の詳細な説明】
【０００１】
【発明の属する技術分野】本発明は、椅子の座部及び背もたれ部に座部及び背もたれ部を取着するために使用する固定部材であって、椅子の長さ、幅に合わせて調節可能な座部及び背もたれ部張設部材に関する。
【０００２】
【従来の技術】椅子に座部、又は背もたれ部を着脱自在に着設する方法としては、塩化ビニル樹脂によってコーティングされたポリエステル繊維製布で形成されたシート基材を椅子のフレームに取り付けて、その上にクッションを面ファスナーで取着する方法が特許文献１に開示されている。特許文献１第３頁段落（［００２７］）に、「図１中の背もたれ部材１５およびシート部１６におけるシート基材１６ａはともに塩化ビニル樹脂によってコーティングされたポリエステル繊維製布から形成されている。背もたれ部材１５は車体フレーム８の左右一対の後部支柱８ｂ（図５参照）に、シート部１６は車体フレーム８の左右一対の中間梁部８ｄ（図５参照）に掛け渡すように取り付けられている。」、「シート基材１６ａの上面にはクッション１６ｂが着脱自在に貼着されている。貼着には面ファスナー１６ｃ等、公知の方法が採用される。」と記載されている。この方法によればシート部材の上にクッションを貼着して取り外し可能とすることを特徴としている。このようにすることによって、車椅子に貼着されたクッションを取り外して洗浄、乾燥がし易い効果を有するものである。
【０００３】
特許文献２の第３頁段落（［００１７］）に、「本願第１発明の更に好適な実施例においては、折返し部が複数のベルト状部材で構成されている。このベルト状部材を、バックフレームと後述するアームパイプや、サイドカバーとの間隙、及び、サイドフレームに設けたガイド孔に通して、バックレストシート及びヒップレストシートを本体フレームに取り付ける。この様に各シートを取り付けることによって、車椅子の使用中に、バックレストシートの上下の位置あるいはヒップレストシートの前後の位置がずれるといった不都合がなくなる。」、さらに、段落（［００３６］）には、「図４は、本発明に係るヒップレストシートを展開した平面図である。ヒップレストシートは、腰掛け部（シート本体）と、カバーと、腰掛け部の両側に設けた左右４本のベルト状部材とで構成されている。」と記載されているように、特許文献２のシートは、シート本体にベルト状部材を設けたものである。
【０００４】
特許文献１では、座部を取り外して洗浄がし易い効果があり、特許文献２においては、車椅子の使用中に、バックレストシートの上下の位置あるいはヒップレストシートの前後の位置がずれるといった不都合がなくなるという効果を有するものである。しかし、従来の張りベルト付きの座部（クッション等）は張り調整を行う場合に、ベルトを弛めると座位が中心よりずれるために、ずれを調整しながら張りベルトを両側のフレームに合わせて、固定する必要があった。特に、座部（クッション等）を中心にもってくるのが難しく、一度、座って調整しなければならないと云う問題点があった。このために、座部を未だ搭乗者の体の状態、疾患の状態、体型、あるいは車椅子の長さや幅に合わせて、座部や背もたれの角度や長さを簡単に調節出来るものがなく、その出現が望まれていた。
【０００５】
【特許文献１】特開平１１−２４４３３５号公報
【特許文献２】特許第３０３８５６９号公報
【０００６】
【発明が解決する課題】本発明は、上記事実に鑑みてなされたもので、車椅子の搭乗者の体の状態、疾患の状態、体型、あるいは車椅子の長さや幅に合わせて座部や背もたれの角度や長さを簡単に調節することが出来る座部及び背もたれ部張設部材を提供するものである。
【０００７】
【課題を解決する手段】上記課題を解決するために、鋭意研究を重ねた結果、座部及び背もたれ部を取着するために以下の張設部材を使用することにより、搭乗者の体の状態、疾患の状態、体型に合わせて座部や背もたれの角度や長さを簡単に調節することが出来る。
【０００８】
本発明の解決手段は、椅子に着設する座部及び背もたれ部を固定するための座部及び背もたれ部張設部材であって、該張設部材は長手方向の両端部に面ファスナーが貼着された少なくとも１本の張りベルト部材と、一方端にバックルが着設され他方端がフレームに固定する固定部を有する少なくとも１本の補助張りベルト部材よりなり、前記張りベルト部材は一方端にフレームに固定する固定部と、他方端に前記補助張りベルト部材のバックルに挿通する自由端部よりなり、前記張りベルト部材にセンターパッドが挿通されていることを特徴とする座部及び背もたれ部張設部材である。面ファスナーが貼着された張りベルトを椅子の座部の奥行き、背もたれ部の高さが異なっても、張りベルトの間隔を適当にあけて複数本組み合わせることによって、取着することができる。また、張りベルト個々の張り具合を変えることができるので、座乗者の体調に合わせて座部、又は背もたれ部の張りベルトの幅と張り具合を自由に調節することができる。
【０００９】
本発明の別の解決手段は、椅子に着設する座部及び背もたれ部を固定するための張設部材であって、該張設部材は長手方向の両端部に面ファスナーが貼着された２本又は３本の張りベルト部材と、一方端にバックルが着設された２本又は３本の補助張りベルト部材よりなり、前記２本又は３本の張りベルト部材の長手方向の一方端が連結テープ部材で連結されたフレームに固定する固定部と、他方端に前記補助張りベルト部材のバックルに挿通する自由端部よりなり、前記一方端にバックルが着設された２本又は３本の補助張りベルト部材の他方端が連結テープ部材で連結されたフレームに固定する固定部よりなることを特徴とする座部及び背もたれ部張設部材である。面ファスナーが貼着された２本又は３本の張りベルトを２本と３本、２本と２本の組み合わせ、或いは３本と３本の組み合わせ等、フレームに合わせて座部及び背もたれ部張設部材の組み合わせを変えることができる。また、張りベルト個々の張り具合を変えることができるので、座乗者の体調に合わせて座部、又は背もたれ部の張りベルトの幅と張り具合を自由に調節することができる。また、張りベルトの一方端にバックルを取着することによって、搭乗者の体の状態によって、ベルトの張り具合を個々に簡単に調節することができる。さらに、２本又は３本の張りベルトを連結部材で連結することにより、取り扱いが容易になる。
【００１０】
本発明の他の解決手段は、２本又は３本の張りベルト部材にセンターパッドが挿通されていることを特徴とする請求項２に記載の座部及び背もたれ部張設部材である。張りベルト部材にセンターパッドを貼着することによって、センターパッドの上に座部及び背もたれ部を着設すると、ベルトの感触が直接肌に伝わらず、長時間座っていても疲れず、安定感がある。また、常にセンターパッドを体の中心に持ってくることができるので、背もたれ部、座部に安定感を与えることができる。
【００１１】
【発明の実施の態様】本発明の態様を以下に図面を用いて説明するが、要旨を超えない範囲において、本発明は以下の実施例に限定されるものではない。
【００１２】
本発明の座部及び背もたれ部張設部材１００は、図１（１−１）に示す張りベルト部材１１と、一方端にバックル１６が着設された補助張りベルト部材１４よりなる。図１（１−１）は、張りベルト部材１１と補助張りベルト部材１４の表面を示し、補助張りベルト部材１４の一方端にバックル１６が着設されている。張りベルト部材の表は図１（１−２）に示すように、面ファスナー（雌）を貼着する。この面ファスナー（雌）は、ポケットを有する座部と背もたれ部を覆うカバーのポケットを安定に保持するために張設する場合に使用したり、座部と背もたれ部を覆うカバーの座部側の末端を安定に張設する場合に利用される。図１（１−３）は面ファスナー（雌）を貼着していない別態様の張りベルト部材の表側を示す。この表側に面ファスナー（雌）を貼着していない張りベルト部材１１は、張りベルト部材を複数本組み合わせて使用した場合に、複数本の張りベルト部材の組み合わせにおいて、中間部分や端の部分に使用することができる。補助張りベル部材１４の裏面は図１（１−３）に示すように、一方端にバックル１６が着設され、他方端は椅子のフレームにネジや鋲で固定する固定部１５となっている。また、図１（１−３）に示すように、張りベルト部材１１の裏面は一方端である自由端１８に面ファスナー（雄）１２を貼着し、他方端である固定部１７側に面ファスナー（雌）１３を貼着した。張りベルト部材１１の固定部１７は椅子のフレームにネジや鋲で固定し、自由端１８をバックル１６に通して折り曲げて、面ファスナー１２と１３を係合させて固定する。
【００１３】
図１（１−４）は張りベルト部材１１にセンターパッド１９を着設した状態を示す。張りベルト部材１１にセンターパッド１９を被せることによって、張りベルト部材１１の間隔を埋めると共に、張りベルト部材１１の感触が座乗者の肌に直接伝わらず、安定感を与える。側面の位置のステッチ１９ａ部分は張りベルト部材１１を通すために、センターパッド１９の裏面に着設されたベルト通し１９ｂ（図４（４−２）参照）の部分を示す。張りベルト部材１１に着設する場合に、センターパッド１９の隙間を設けることなく張設することによって、そのまま座部や背もたれ部とすることもできる。張りベルト部材、補助張りベルト部材の材質は特に限定されるものではなく、例えば、塩化ビニル、ポリプロピレン、ポリエチレン等の耐候性、耐久性のある材質のものを使用することが望ましい。
【００１４】
フレームの背もたれ部に着設する２本の張りベルト部材１１よりなる座部及び背もたれ部張設部材２００の表面を図２（２−１）に、裏面を図２（２−２）に示す。図２（２−１）、（２−２）に示す２本の張りベルト部材１１の一方端には連結テープ部材２０が着設され、他方端は自由端１８となっている。張りベルト部材１１の連結テープ部材２０が着設された部分は、椅子のフレームにネジや鋲で固定する固定部１７となる。一方端にバックル１６が着設された２本の補助張りベルト部材１４の他方端を連結テープ部材２０で連結して、この連結された固定部１５をネジ又は鋲で椅子のフレームに固定する。連結された２本の張りベルト部材１１の裏面の自由端１８側に面ファスナー（雄）を貼着し、固定部１７側に面ファスナー（雌）を貼着して、自由端１８からバックル１６に通して、長さを調節して面ファスナーを係合させる。
【００１５】
フレームの背もたれ部に着設する３本の張りベルト部材１１よりなる座部及び背もたれ部張設部材２００の表面を図２（２−３）に、裏面を図２（２−４）に示す。図２（２−３）、（２−４）に示す３本の張りベルト部材１１の一方端には連結テープ部材２０が着設され、他方端は自由端１８となっている。張りベルト部材１１の連結テープ部材２０が着設された部分は、椅子のフレームにネジや鋲で固定する固定部１７となる。３本の張りベルト部材１１の表面の自由端１８側に面ファスナー（雌）１３を貼着した。一方端にバックル１６が着設された３本の補助張りベルト部材１４の他方端を連結テープ部材２０で連結して、この連結された固定部１５をネジ又は鋲で椅子のフレームに固定する。連結された３本の張りベルト部材１１の裏面の自由端１８側に面ファスナー（雄）を貼着し、固定部１７側に面ファスナー（雌）を貼着して、自由端１８からバックル１６に通して、長さを調節して面ファスナーを係合させる。
【００１６】
先の２本の張りベルト部材１１をフレームの背もたれ部の上側に着設し、３本の張りベルト部材１１をフレームの背もたれ部の下側に着設すると、表面に貼着した面ファスナー（雌）が背もたれ部分の裏の下側に位置するようになる。この背もたれ部分の裏の下側に位置する面ファスナーは背もたれの下部まで覆うことができる座部カバー３４（図８参照）の背面に貼着された面ファスナーと係合させて固定する。
【００１７】
座部及び背もたれ部張設部材２００の座部を張設する部材は、図３に、座前部に使用する張りベルト部材１１の表側（３−１）と裏側（３−２）を示し、図３（３−３）は座部を張設する部材の座奥部に使用する張りベルト部材１１の表側を、図３（３−４）はその裏側を示す。図３（３−１）から（３−４）に示す座部を張設する部材の張りベルト部材１１の構成は、基本的に背もたれ部を張設する部材と同一である。ただし、図３（３−１）に示す張りベルト部材１１の表側の下部の張りベルト部材１１の自由端１８に３００ｍｍの面ファスナー（雌）を着設している点と、座奥部に着設する３本の張りベルト部材１１の表側（３−３）に面ファスナー（雌）１３を着設していない点で、背もたれ部を張設する部材と異なっている。
【００１８】
本発明の座部及び背もたれ部張設部材１００又は２００において、図１（１−１）から図３（３−４）に示す座部及び背もたれ部張設部材１００又は２００は、張りベルト部材１１の幅が５０ｍｍ、長さが６６０ｍｍのものを用い、２本又は３本の張りベルト部材１１の場合は、一方端を２５ｍｍ幅で長さが１４２ｍｍ、又は２２２ｍｍの連結テープ部材２０を用いて２本、又は３本の張りベルト部材１１を連結した。２本、又は３本の張りベルト部材１１の裏側に（図２（２−２）、（２−４）、図３（３−２）、（３−４））に、連結テープ部材２０で連結した方の端部から３０ｍｍの間をあけて、５０ｍｍ幅で長さが１５０ｍｍの面ファスナー（雌）１３を貼着した。張りベルト部材１１の連結した他方端に、５０ｍｍ幅で長さが２００ｍｍの面ファスナー（雄）１２を貼着した。補助張りベルト部材１４は、一方端に縦幅が５０ｍｍのバックル１６を着設し、他方端に幅が５０ｍｍで長さが１４２ｍｍ、又は２２２ｍｍの連結テープ部材２０で連結した。補助張りベルト部材１４の長さはバックル１６の端部から連結テープ部材２０で連結した他方端までの長さを６４ｍｍとした。
【００１９】
図２（２−３）に示す背もたれ部を張設する座部及び背もたれ部張設部材２００は、フレームの下部に着設する３本の張りベルト部材１１の自由端１８側に、それぞれ５０ｍｍ幅で３００ｍｍの長さの面ファスナー（雌）１３を着設した。この張りベルト部材１１の面ファスナー（雌）１３部分に、面ファスナー（雄）を背面に貼着した背もたれ部の裏面を係合させて固定する。
【００２０】
図４は張りベルト部材に着設するセンターパッド１９を示す。図４（４−１）はセンターパッド１９の表側を示し、前面はバッキング加工されたパイル面になっている。このパイル面に、座部カバーと背もたれカバーが繋がった座部と背もたれ部を覆うカバー３４（図８参照）の裏面に貼着された面ファスナー（雄）が係合して、座部と背もたれ部を覆うカバー３４を安定に保持する。図４（４−２）はセンターパッド１９の裏側を示す。センターパッド１９の大きさは幅８０ｍｍ、長さ２９０ｍｍで、各角はカットしてある。さらに、図４（４−１）の側面から５ｍｍの位置のステッチ１９ａ部分は、図４（４−２）に示すように張りベルト部材１１を挿通するために、センターパッド１９の裏面に着設されたベルト通し１９ｂの部分を示す。この張りベルトを挿通するためのベルト通し１９ｂの表面はバッキング加工したパイル面である。このセンターパッド１９のパイル面に、座部と背もたれ部を覆うカバー３４（図８参照）の裏面に貼着された面ファスナー（雄）が係合して、座部と背もたれ部を覆うカバー３４を安定に保持する。
【００２１】
図５は張りベルト部材１１にセンターパッド１９を着設した形態を示す。図５（５−１）は座部の奥に張設する連結された３本の張りベルト部材１１に、センターパッドのベルト通し１９ｂ部分を通して、張りベルト部材の自由端を補助張りベルト部材のバックルに通して折返し、張りベルト部材の裏面に貼着された面ファスナーを係合させた状態を示す。図５（５−２）は座部の前面に張設する連結された２本の張りベルト部材１１に、上記同様にしてセンターパッド１９を着設した状態を示す。張りベルト部材の裏面の面ファスナーを係合させると、張りベルト部材の表側に面ファスナー１３がでてくる。この面ファスナー１３には、座部と背もたれ部を覆うカバー３４の座部側の端部を座部の前部フレームから折り返してその端部に貼着された面ファスナーに係合させて、座部と背もたれ部を覆うカバー３４の座部側の端部を固定するものである。図５（５−３）は背もたれ部のフレームの下側に張設する３本の張りベルト部材１１にセンターパッドを着設した状態を示す。図５（５−４）は背もたれ部のフレームの上部に張設する連結された２本の張りベルト部材１１にセンターパッドを着設したものである。図５（５−３）の張りベルト部材の裏面を面ファスナーで係合した表側は、面ファスナーが貼着されており、ここに座部と背もたれ部を覆うカバー３４のポケットの付いた背もたれ部側の端部に貼着された面ファスナーが係合して、座部と背もたれ部を覆うカバー３４のポケットの付いた背もたれ部側が安定に固定される。
【００２２】
図６は張りベルト部材１１にセンターパッド１９を着設した表側を示す。図６（６−１）は連結された２本の張りベルト部材１１であり、座部の前側、又は背もたれ部の上部に張設する。図６（６−２）は連結された３本の張りベルト部材１１であり、座部の奥側、又は背もたれ部の下部に張設する。センターパッド１９の表面には面ファスナーが貼着されており、座部と背もたれ部を覆うカバーの裏面に貼着された面ファスナーと係合して、座部と背もたれ部を覆うカバーを確実に座部と背もたれ部に固定する。
【００２３】
図７（７−１）は椅子の背もたれ部に張りベルト部材１１を張設した例を示す。張りベルト部材１１の張設は、図７（７−２）に示すように、張りベルト部材１１又は補助張りベルト部材１４を通す間隙３３を設けた補助フレーム３２を椅子の後部フレーム３１、又は座部のサイドフレーム３５（図８参照）に着設し、この張りベルト部材１１又は補助張りベルト部材１４を通す間隙３３を通して、固定部１７又は１５をネジや鋲で固定する。あるいは、図７（７−２）に示すように、椅子の後部フレーム３１、又は座部のサイドフレーム３５（図８参照）に直接張りベルト部材１１又は補助張りベルト部材１４を通す間隙３３を設け、この間隙３３に張りベルト部材１１又は補助張りベルト部材１４を通して、固定部１７又は１５をネジや鋲で固定しても良い。
【００２４】
図８は本発明の座部及び背もたれ部張設部材２００を着設した車椅子に座部と背もたれ部を覆うカバー３４を装着した例を示す。本発明の座部及び背もたれ部張設部材は張りベルト部材に着設したセンターパッドの隙間を空けることなく張設すると、座部と背もたれ部を覆うカバー３４を特に装着することなく、座ることもできるが、長時間座乗するためには、座部と背もたれ部を覆うカバー３４を装着した方が、座り心地も良く、疲れない。また、様々な柄や色の座部と背もたれ部を覆うカバー３４を装着することにより、車椅子の美観もよくなる。
【００２５】
図９（９−１）及び（９−２）はクッション３５にベルト３５ａが着設された従来のタイプの背もたれ部の上側から見た状態を示す。図９（９−１）に示すように、クッション３５ａに着設されたベルトが後部フレーム３１に左右均等に張設されている場合は、クッション３５は左右の後部フレーム３１の真ん中にあり、何ら問題は生じないが、搭乗者の体型、疾患の状態に合わせてベルト３５ａの一方Ｂを緩めるとクッションは左右の後部フレームの中心からＡに示すようにずれていまい、座り心地を悪くし、長時間に亘ると褥創の原因ともなる。
【００２６】
これに対し、本発明の張りベルト部材を使用すると、図９（９−３）の背面図と、（９−４）の上面図に示すように、張りベルト部材１１を緩めてベルトの位置をずらしても、張りベルト部材１１に挿通したセンターパッド１９の位置は、常に左右の後部フレーム３１の真ん中にあり、このセンターパッドに貼着されたクッション３５は左右の後部フレーム３１の中心部に維持することができ、座乗者に安心感と安定感を与える。
【００２７】
【発明の効果】面ファスナーが貼着された張りベルト部材とバックルが着設された補助張りベルト部材よりなる本発明の座部及び背もたれ部張設部材は、張りベルト部材の一方端の固定部をフレームにネジや鋲等で固定し、他方端を自由端とし、この自由端を補助張りベルト部材のバックルに通して長さの調節が可能とした。この結果、個々の張りベルト部材の張り具合を調節することが可能であることから、座乗者の身体状況に合わせて、座部や、背もたれ部の長さを細かく調節することができる。
【００２８】
面ファスナーが貼着された２本又は３本の張りベルト部材の短手方向の両端部を連結テープ部材で連結し、他方端を自由端とし、この自由端を補助張りベルト部材のバックルに通して個々の張りベルト部材の張り具合を調節することができるようにしたことによって、２本又は３本の張りベルト部材の組み合わせによって、目的に合わせた座部及び背もたれ部張設部材の使用ができると共に、張設が容易になる。さらに、個々の張りベルトの張り具合を調節することによって、座乗者の体の具合、体重の軽重によって座乗者に合わせた座部、背もたれ部にすることができる。
【００２９】
張りベルト部材にセンターパッドを着設することによって、張りベルトの感触が直接体に伝わらないので、長時間座乗していても臀部や腰部が痛くならず、褥創を予防する効果がある。従来の張りベルト付きの座部（クッション等）とは異なり、張り調整を行った場合に、ベルトを弛めても座位が中心よりずれることがなく、簡単に微妙な調節を行って固定をすることができる。このように、本発明の座部及び背もたれ部張設部材を構成する張りベルト部材は、座部や背もたれの角度や長さを座乗者の体の状態、疾患の状態、体型、あるいは車椅子の長さや幅に合わせて、簡単に調節出来る効果を有するものである。
【図面の簡単な説明】
【図１】張りベルト部材とセンターパッドの正面図。
【図２】背もたれ用の２本又は３本の張りベルト部材の正面図。
【図３】座部用の２本又は３本の張りベルト部材の正面図。
【図４】センターパッドの正面図。
【図５】センターパッドに張りベルト部材を挿通した裏面図。
【図６】センターパッドに張りベルト部材を挿通した表面図。
【図７】椅子の背もたれ部とフレームの部分斜視図。
【図８】車椅子の斜視図。
【図９】クッションの位置を部分上面図。
【符号の説明】
１００：座部及び背もたれ部張設部材
２００：２本又は３本の張りベルト部材よりなる座部及び背もたれ部張設部材
１１：張りベルト部材
１２：面ファスナー（雄）
１３：面ファスナー（雌）
１４：補助張りベルト部材
１５：固定部
１６：バックル
１７：固定部
１８：自由端
１９：センターパッド
２０：連結テープ部材
３１：後部フレーム
３２：補助フレーム
３３：張りベルト部材を通す間隙
３４：座部と背もたれ部を覆うカバー
３５：クッション
【図１】
2005013331.tif 000003
【図２】
2005013331.tif 000004
【図３】
2005013331.tif 000005
【図４】
2005013331.tif 000006
【図５】
2005013331.tif 000007
【図６】
2005013331.tif 000008
【図７】
2005013331.tif 000009
【図８】
2005013331.tif 000010
【図９】
2005013331.tif 000011